(57)【要約】【課題】工具等を使用しないでも手作業だけで、所望の向きに無段階で容易に変えることができ、かつ必要に応じて容易に着脱ができる換気カバー及び虫除けフィルターを備えたコーナー用化粧カバーを提供する。【解決手段】壁外面に固定される化粧カバー本体１５と、ゴミ排出用配管２２が挿通可能な大きさの挿通口２３と、前記化粧カバー本体１５の外に前記挿通口２３と連通するゴミ排出通路２６を形成する換気カバー１６を備えたコーナー用化粧カバーにおいて、前記換気カバーは１６、前記挿通口２３の周縁部に、同口２３の中心点を中心とする同心円の凹溝２５と凸条３０との嵌合により任意の位置に無段階で停止可能及び着脱可能に取り付けられ、また複数の孔３８が設けられた防虫フィルター１７が前記挿通口２３に着脱可能に設けられ、これら着脱の操作は、工具等不使用の手作業で行うようにしたことを特徴とする。【選択図】図６
2008190632.tif 000002
【特許請求の範囲】
【請求項１】
建物の壁に形成された貫通孔を通して壁外面に沿う形態で導出された可撓性配管類のコーナー部分を覆う状態で、前記壁外面に固定される化粧カバー本体と、該化粧カバー本体に前記貫通孔と対向する位置に開設され、ゴミ排出用配管が挿通可能な大きさの挿通口と、該挿通口を覆う状態で前記化粧カバー本体の外側に設けられ、前記壁に沿う向きに開口するゴミ排出通路を形成する換気カバーとを備えたコーナー用化粧カバーにおいて、
前記換気カバーは、前記化粧カバー本体に、円形又は多角形に形成された凹溝部と該凹溝部に嵌合する凸部とにより前記凹溝部の円形又は多角形の中心を中心として回転可能で、かつ任意の位置に停止可能に取り付けられたことを特徴とするコーナー用化粧カバー。
【請求項２】
前記換気カバーは、弾性を備えた合成樹脂材料で形成され、かつ前記弾性による接触圧で前記停止機能を果すようにされたことを特徴とする請求項１記載のコーナー用化粧カバー。
【請求項３】
前記溝部は前記挿通口の縁部に設けられ、前記凸部は略Ｕの字形状にされ、該凸部の両端には抜落ち阻止用爪部が設けられたことを特徴とする請求項１又は２記載のコーナー用化粧カバー。
【請求項４】
複数の孔が設けられた防虫フィルターが前記挿通口に係止部により着脱可能に設けられたことを特徴とする請求項１乃至３のいずれか一つに記載されたコーナー用化粧カバー。
【請求項５】
複数の孔が設けられた防虫フィルターが、前記換気カバーの前記ゴミ排出通路形成部内に着脱可能に設けられたことを特徴とする請求項１乃至３のいずれか一つに記載されたコーナー用化粧カバー。
【発明の詳細な説明】
【技術分野】
【０００１】
本発明は、建物の壁に形成された貫通孔を通して壁外面に沿う形態で導出された、冷媒管・ドレインホース等配管や電線等（本文中、これらを一括して単に可撓性配管類という）のコーナー部分を覆うためのコーナー用化粧カバーに関する。  
【０００２】
具体的には、壁外面に固定される化粧カバー本体と、ゴミ排出用配管が挿通可能な大きさの挿通口と、前記化粧カバー本体の外側に前記挿通口と連通するゴミ排出通路を形成する換気カバーとを備えたコーナー用化粧カバーに関する。
【背景技術】
【０００３】
従前、可撓性配管類のコーナー部分は、該可撓性配管類を通す挿通路と室内外の空気を挿通口を介して流通させる空気流通路を備えたコーナー用化粧カバーにより被覆することで保護されている。より具体的には、可撓性配管類のコーナー部分は、前記挿通路内に収容された状態で被包され、また室内外の空気は、換気ホースを使い、前記挿通口及び前記空気流通路を介して室内の換気を行うようにされている。
【０００４】
また、最近、ゴミ排出用配管を備えた自動フィルター掃除装置を組み込んだ空調機（以下、自動掃除式空調機という）が提供されている。この種の自動掃除式空調機は、ゴミ排出用配管の先端に先端カバーが設けられていて、該先端カバーの開口部は、下向きに吹き出す状態として施工するようにされている。
【０００５】
そして、この種の自動掃除式空調機も、従前と同様に、その可撓性配管類のコーナー部分は、該可撓性配管類を通す挿通路と室内外の空気を挿通口を介して流通させる空気流通路を備えたコーナー用化粧カバーにより被覆することで保護される。
【０００６】
ところで、前記可撓性配管類のコーナー部分の施工に係るコーナー用化粧カバーとして、次のような形式が提供されている。
【０００７】
すなわち、（特許文献１）により、施工現場の状況や都合で、化粧カバー本体は横向き或いは斜め向きにして壁に取り付け、換気カバーはその開口を常に下向きにできるようにされた配管カバーが開示されているが、この配管カバーには、係合突部とスリットの係合により向きを維持する構成であるため、製造困難、低コスト化困難等の問題があった。また、（特許文献２）により、ビスの付け替えで向きを変える形式等が開示されているが、これら形式は、いずれも無段階で向きを変更できない弱点がある。
【０００８】
また、通常、コーナー用化粧カバーには、（特許文献１）（特許文献２）にも示されているように、防虫フィルターが備えられている。
【０００９】
そして、前記防虫フィルターを備えたコーナー用化粧カバーの中には、例えば、ニッパー等の人為的切断操作具を用いて切除する形式（特許文献２）等が開示されている。しかしながら、これにはニッパー等の人為的切断操作具を別に必要とする煩わしさがあり、かつ、切除作業が面倒であるのみならず安全性の面で問題がある。
【００１０】
他方、前記施工の方法には、換気ホースの先端開口を前記貫通孔から挿通口に向けた状態にして該換気ホースを固定する方式（以下、非挿通方式という）や、換気ホースを挿通口に挿通してその先端開口を空気流通路内に開放させた状態にして固定する方式（以下、挿通方式という）が、採用されている。
【００１１】
因みに、前記自動掃除式空調機は、後者であり、そのゴミ排出用配管から前記ゴミ排出通路を介してゴミを排出するようにされている。
【００１２】
このように、前記防虫フィルターは、前記非挿通方式の施工の場合にはともかく、挿通方式の施工に使用されるときには、不用物として外してしまうことが多かった。
【特許文献１】特開２００５−２３３３１３号公報
【特許文献２】特開２００４−２１９０１４号公報
【特許文献３】特開２００６−９０４６２号公報
【発明の開示】
【発明が解決しようとする課題】
【００１３】
そこで、本発明は、前記において述べた現況に鑑み、特別な工具等を使用しない手作業だけで、所望の向きに無段階で容易に変えることができ、かつ必要に応じて容易に着脱ができる換気カバーを備えたコーナー用化粧カバーを提供することを目的とする。
【課題を解決するための手段】
【００１４】
上記目的を達成するために、請求項１に係るコーナー用化粧カバーは、建物の壁に形成された貫通孔を通して壁外面に沿う形態で導出された可撓性配管類のコーナー部分を覆う状態で、前記壁外面に固定される化粧カバー本体と、該化粧カバー本体に前記貫通孔と対向する位置に開設され、ゴミ排出用配管が挿通可能な大きさの挿通口と、該挿通口を覆う状態で前記化粧カバー本体の外側に設けられ、前記壁に沿う向きに開口するゴミ排出通路を形成する換気カバーとを備えたコーナー用化粧カバーにおいて、前記換気カバーは、前記化粧カバー本体に、円形又は多角形に形成された凹溝部と該凹溝部に嵌合する凸部とにより前記凹溝部の円形又は多角形の中心を中心として回転可能で、かつ任意の位置に無段階で停止可能に取り付けられたことを特徴とする。
【００１５】
請求項２に係るコーナー用化粧カバーは、請求項１に記載の構成に加え、前記換気カバーは、弾性を備えた合成樹脂材料で形成され、かつ前記弾性による接触圧で前記停止機能を果すようにされたことを特徴とする。
【００１６】
請求項３に係るコーナー用化粧カバーは、請求項１又は２に記載の構成に加え、前記溝部は前記挿通口の縁部に設けられ、前記凸部は略Ｕの字形状にされ、該凸部の両端には抜落ち阻止用爪部が設けられたことを特徴とする。
【００１７】
請求項４に係るコーナー用化粧カバーは、請求項１乃至３のいずれか一つに記載の構成に加え、複数の孔が設けられた防虫フィルターが前記挿通口に係止部により着脱可能に設けられたことを特徴とする。
【００１８】
請求項５に係るコーナー用化粧カバーは、請求項１乃至３のいずれか一つに記載の構成に加え、複数の孔が設けられた防虫フィルターが、前記換気カバーの前記ゴミ排出通路形成部内に着脱可能に設けられたことを特徴とする。
【発明の効果】
【００１９】
請求項１の発明によれば、前記換気カバーは、前記化粧カバー本体に、円形又は多角形に形成された凹溝部と該凹溝部に嵌合する凸部とにより前記凹溝部の円形又は多角形の中心を中心として回転自在で、かつ任意の位置に無段階で停止可能に取り付けられているので、その所望の向きへの変更は、特別な工具等を用いないでも容易かつスピーディーに手作業だけで、無段階で変えることができる。
【００２０】
請求項２の発明によれば、前記換気カバーは、弾性を備えた合成樹脂材料で形成とされ、かつ該弾性による接触圧で前記停止機能を果すようにされることを特徴とするので、請求項１の効果に加え、前記接触圧による摩擦抵抗が機能して静止するから、向き変え位置での停止状態は確実に維持できる。
【００２１】
請求項３の発明によれば、前記凹部は前記挿通口の縁部に設けられ、前記凸部は略Ｕの字形状にされ、該凸部の両端には抜落ち阻止用爪部が設けられたことを特徴とするので、請求項１又は２の効果に加え、換気カバーは抜落ちを惹起する虞が無いのみならず、例えば換気カバーを外す必要が生じた場合は、前記凸部におけるＵの字の円弧側が先になり両端側が後ろになる向きに換気カバーをスライドさせるだけで、工具等を使わずとも容易に外すことができ、また、外した換気カバーを取付状態に戻し嵌めるには、前記とは逆の方向にスライドさせるだけで、同様に工具等を使わずとも容易に戻すことができる。この場合、前記スライドに伴って抜落ち阻止用爪部は、強制的に前記凹溝の底面形状により案内されて一時的に外側に逃げるから、該抜落ち阻止用爪部には何ら操作を加える必要がなく、前記外し操作も戻し操作も比較的容易に行うことができる。
【００２２】
請求項４の発明によれば、複数の孔が設けられた防虫フィルターが、前記挿通口に工具等不使用の手作業で着脱可能に設けられたことを特徴とするので、前記請求項１乃至３の効果に加え、前記挿通方式の施工の場合には、前記挿通口から外した状態で使用でき、また、非挿通方式の施工の場合には、前記挿通口に取り付けた状態で使用できる。このように、この虫除けフィルターによれば、どちらの施工にも対応できるから、そのメリットは大きい。しかも、この場合、前記虫除けフィルターの着脱は、ニッパー等の人為的切断操作具を用いない単なる手作業で可能であるから、安全に、かつ容易に能率よくできる。
【００２３】
請求項５の発明によれば、複数の孔が設けられた防虫フィルターが、前記換気カバーの前記ゴミ排出通路形成部内に工具等不使用の手作業で着脱可能に設けられたことを特徴とするので、前記請求項１乃至３の効果に加え、前記挿通方式の施工の場合には、前記挿通口から外した状態で使用でき、また、非挿通方式の施工の場合には、前記挿通口に取り付けた状態で使用できる。このように、この虫除けフィルター１７によれば、どちらの施工にも対応できるから、そのメリットは大きい。しかも、この場合、前記虫除けフィルターの着脱は、前記換気カバーを外した状態で可能になるから、使い勝手が良いのみならず、ニッパー等の人為的切断操作具を用いない単なる手作業で可能であるから、安全に、かつ容易に能率よくできる。
【発明を実施するための最良の形態】
【００２４】
〔発明の実施の形態１〕
【００２５】
図１〜図７に基づいて本発明の実施の形態１を説明する。
【００２６】
この実施の形態１は、図６及び図７に示すように、建物の壁１１に形成された貫通孔１２を通して壁外面１１aに沿う形態で導出された可撓性配管類１３のコーナー部分１４を覆う状態で、前記壁外面１１aに固定されて用いられるものであり、化粧カバー本体１５と換気カバー１６と虫除けフィルター１７から構成されている。
【００２７】
前記化粧カバー本体１５、換気カバー１６、虫除けフィルター１７の各々は、僅かな弾性を備えた合成樹脂材料による一体成形により構成されている。
【００２８】
前記化粧カバー本体１５は、前記可撓性配管類１３を通すトンネルのような挿通路１８を形成する形状にされている。すなわち、建物の壁１１に接する側の面と下面は開放され、壁１１と反対の面には、ゴミ排出用配管２２が挿通可能な大きさの挿通口２３が前記貫通孔１２と対向する位置関係で設けられている。また前記挿通口２３の周縁部には前記換気カバー１６が取付けられる円筒形状の突縁部２４が外方に突出した状態で設けられ、該突縁部２４の外周面には前記挿通口２３の中心点を中心とする円形で外周方向に向かって開口する無端の凹溝２５が設けられている。
【００２９】
また、前記換気カバー１６は、前記室内外の空気を前記挿通口２３を介して流通させる空洞の空気流通路２６を形成する形状にされている。すなわち、化粧カバー本体１５に接する側の面と下面は開放され、前者の面の開放口２９の口縁には、内周方向に向かって突出された略Ｕの字形状の凸条３０が設けられ、また、該凸条３０の両端部には、連続構成で山形を呈する抜落ち阻止用爪部３１a、３１bが形成されている。
【００３０】
前記凸条３０の頂面３２と、該頂面３２に連続する抜落ち阻止用爪部３１a、３１bの一方の尾根部分の頂面とは、前記無端の凹溝２５の底面２５aに前記合成樹脂材料の弾性により摺動可能に圧接させ、これにより接触圧を得るようにされている。
【００３１】
したがって、前記換気カバー１６に前記接触圧による摩擦抵抗が機能して静止するから、向き変え位置での停止状態は、確実に維持できる。
【００３２】
なお、この凹溝２５の一方の側面３３と、前記取付用突縁部２４の付根部３４の外面とは同一平面にされ、また前記換気カバー１６において化粧カバー本体１５に接する側の開口縁の端面３５と前記凸条３０の外側面３６と前記抜落ち阻止用爪部３１a、３１bの外側面３７とは同一平面にされ、これら同一平面は、換気カバー１６の取付時において面接触の毛抜合せ状になるようにされている。これにより、前記換気カバー１６の向き変え操作の操作性、安定性が良くなる。
【００３３】
また、抜落ち阻止用爪部３１a、３１bは、前記のような構成にされているから、前記換気カバー１６は抜落ち事故を惹起する虞が無いのみならず、例えば換気カバー１６を外す必要が生じた場合は、前記凸条３０におけるＵの字の円弧側が先になり両端側が後ろになる向きに換気カバー１６をスライドさせるだけで、工具等を使わずとも容易に外すことができる。また、外した換気カバー１６を取付状態に戻し嵌めるには、前記とは逆の方向にスライドさせるだけで、同様に工具等を使わずとも容易に戻すことができる。この場合、前記スライドに伴って抜落ち阻止用爪部３１a、３１bは、強制的に前記凹溝２５の底面形状により案内されて一時的に外側に逃げるから、該抜落ち阻止用爪部３１a、３１bには何ら操作を加える必要がなく、前記外し操作も戻し操作も容易に行うことができる。
【００３４】
前記したように、換気カバー１６は、スライド操作により着脱可能であるから、例えば、前記化粧カバー本体１５に係る分の施工を終えてから換気カバー１６に係る分の施工を行うと言うような仕事の段取りができ、作業性アップが期待できる。
【００３５】
前記阻止用爪部３１a、３１bは、前記したように、一時的に外側に逃げる特性を備えているから、必ずしも好ましくはないが、前記スライド操作によらない、例えば強く押して嵌めたり、外したりもできる。
【００３６】
前記虫除けフィルター１７は、複数の長孔３８が略全面に設けられたフィルター本体部３９と、該フィルター本体部３９の裏面の外周に設けられた、前記挿通口２３に回転自在に嵌合する嵌入縁４０と、同挿通口２３の口縁部２３aの外側に係合する引っ掛り鍔部４１と、同挿通口２３の口縁部２３aの内側に係合する対称一対の係止部４２a、４２bとにより構成されている。これら係止部４２a、４２bは、弾性脚部４３の先端部の外側に傾斜面４４a付き係止爪４４が設けられた構成にされ、前記弾性脚部４３の先端縁４３aに手指の爪を引掛けて外すように形成されている。
【００３７】
すなわち、前記虫除けフィルター１７は、前記挿通口２３には単に押し込むだけで取付けられ、また、爪を前記弾性脚部４３の先端縁に引掛けて抜き取るだけで外しうるようにされている。
【００３８】
前記虫除けフィルター１７は、次のように使用される。すなわち、前記非挿通方式の施工の場合には、図６に示すように、前記挿通口２３に取り付けた状態で使用される。また、挿通方式の施工の場合には、図７に示すように、外した状態で使用される。
【００３９】
このように、この虫除けフィルター１７によれば、どちらの施工にも対応できるから、そのメリットは大きい。しかも、この場合、前記したように虫除けフィルター１７の着脱は、ニッパー等の人為的切断操作具を用いない、単なる手作業による押し込み操作及び引き抜き操作で可能であるから、安全に、かつ容易に能率よくできる。
【００４０】
すなわち、前記実施の形態１のコーナー用化粧カバーは、例えば、前記した自動掃除式空調機のように、先端カバーの開口部を下向きに吹き出す施工が要求される場合にあって、施工現場の状況により、化粧カバー本体１５が斜め向き或いは横向きになってしまうようなことが発生しても、図１及び図４において仮想線で示すように、換気カバー１６は回転させてその向きを変えることが任意に可能であるから、前記の要求には支障なく対応できる。しかも、前記換気カバー１６の向きを変える操作は、工具等の使用無しで簡単かつ容易にできる。この場合、前記回転カバー１４は、自身が有している弾性による接触圧で、停止された位置を維持するため、その向き変え操作は素早くできる。また、防虫フイルター１７は、脱着が容易であり、前記自動掃除式空調機のような挿通方式の空調機には好適である。
【００４１】
〔発明の実施の形態２〕
【００４２】
図８（Ａ）〜（Ｄ）は、この発明の実施の形態２を示す。
【００４３】
この実施の形態２は、換気カバー５１a〜５１dに虫除けフィルター５０a〜５０dが設けられた点が、前記実施の形態１と異なるものである。この点以外は、実施の形態１と同じであるから、その説明は省略する。
【００４４】
以下、実施の形態２の具体例として（Ａ）〜（Ｄ）の４パターンを説明する。
【００４５】
すなわち、（Ａ）のパターンは、嵌着用凹溝５２aと嵌着用縁５３aの嵌合及び係止用突起５４aと係止用凹部５５aの係合により、虫除けフィルター５０aが換気カバー５１aにおける下面の開口５６aに取り付けられているものである。
【００４６】
（Ｂ）のパターンは、係止用弾性爪５４bと係止用凹部５５bの係合により、虫除けフィルター５０bが換気カバー５１bにおける下面の開口５６bに取り付けられているものである。
【００４７】
（Ｃ）のパターンは、嵌着用凹溝５２cと嵌着用縁５３cの嵌合及び係止用突起５４cと係止用凹部５５cの係合により、虫除けフィルター５０cが前記化粧カバー本体１５における前記挿通口２３に対応する位置関係にされて取り付けられているものである。
【００４８】
（Ｄ）のパターンは、嵌着用凹溝５２dと嵌着用縁５３dの嵌合及び係止用突起５４dと係止用凹部５５dの係合により、異形の虫除けフィルター５０dが前記化粧カバー本体１５における前記挿通口２３に対応する位置関係にされて取り付けられているものである。
【００４９】
この実施の形態２によれば、換気カバー５１a〜５１dの着脱操作で、虫除けフィルター５０a〜５０dも一緒に着脱できるから、実施の形態１の効果に加え、作業の簡易化でき、作業性をよくすることができる。
【００５０】
なお、本発明は、前記実施の形態においては、挿通孔２３を円形としてあるが、該円形に限らず四角形、楕円形、繭形、その他の形状にすることは任意である。また、凹溝２５は円形としてあるが、該円形に限らず回転可能な多角形であればよい。該凹溝２５は、挿通孔２３の周辺部等に設けることが望ましい。さらに、凹溝２５は化粧カバー本体１５側に設け、凸条３０は換気カバー１６側に設けてあるが、該凹溝２５は換気カバー１６側に設け、凸条３０は化粧カバー本体１５側に設けてもよい。また、化粧カバー本体１５及び換気カバー１６は、合成樹脂材料製としたが、金属材料により構成することは任意である。
【図面の簡単な説明】
【００５１】
【図１】本発明の実施の形態１を示す斜視図である。
【図２】同上分解斜視図である。
【図３】図１のＡ−Ａ線に沿う断面図である。
【図４】図１のＢ−Ｂ線に沿う断面図である。
【図５】図１のＢ−Ｂ線に沿う断面図である。
【図６】挿通方式の施工例の図１のＡ−Ａに沿う断面図である。
【図７】非挿通方式の施工例の図１のＡ−Ａに沿う断面図である。
【図８】実施の形態２の４パターンを示す斜視図である。
【符号の説明】
【００５２】
１１  壁
１２  貫通孔
１３  可撓性配管類
１４  コーナー部分
１５  化粧カバー本体
１６  換気カバー
１７  虫除けフィルター
２２  ゴミ排出用配管
２３  挿通口
２５  凹溝（溝部）
２６  空気流通路（ゴミ排出通路）
３０  凸条（凹部）
３１a、３１b  抜落ち阻止用爪部
４２a、４２b  係止部
５０a〜５０d  虫除けフィルター
５１a〜５１d  換気カバー
【図１】
2008190632.tif 000003
【図２】
2008190632.tif 000004
【図３】
2008190632.tif 000005
【図４】
2008190632.tif 000006
【図５】
2008190632.tif 000007
【図６】
2008190632.tif 000008
【図７】
2008190632.tif 000009
【図８】
2008190632.tif 000010